(57)【要約】【課題】フレキシブルプリント配線板の撓み変形に起因するフレキシブルプリント配線板の浮き上がりを抑制することが可能な表示装置を提供する。【解決手段】この表示装置（ＬＣＤユニット２０）は、表示パネル１１と、表示パネル１１が収納される樹脂製フレーム４と、表示パネル１１の背面側に配置されるＬＥＤ９と、ＬＥＤ９に電気的に接続されるとともに、樹脂製フレーム４の内部から外部に延びるように配置されたバックライト用ＦＰＣ８とを備え、樹脂製フレーム４は、バックライト用ＦＰＣ８が浮き上がることを抑制するためのフック形状部４ｄを含む。【選択図】図５
2006157487.tif 000002
【特許請求の範囲】
【請求項１】
表示パネルと、
前記表示パネルが収納されるフレームと、
前記表示パネルの背面側に配置されるバックライト用光源と、
前記バックライト用光源に電気的に接続されるとともに、前記フレームの内部から外部に延びるように配置されたバックライト用の第１フレキシブルプリント配線板とを備え、
前記フレームは、前記第１フレキシブルプリント配線板が浮き上がることを抑制するための浮き上がり抑制部材を含むことを特徴とする、表示装置。
【請求項２】
前記フレームの浮き上がり抑制部材は、前記第１フレキシブルプリント配線板の上面に係合することにより前記第１フレキシブルプリント配線板の高さを規制するように設けられていることを特徴とする、請求項１に記載の表示装置。
【請求項３】
前記フレームの浮き上がり抑制部材は、前記フレームに一体的に設けられていることを特徴とする、請求項１または２に記載の表示装置。
【請求項４】
前記フレームの浮き上がり抑制部材は、前記フレームの上面から上方に突出するフック形状部を有し、前記第１フレキシブルプリント配線板は、前記フレームの上面と前記フック形状部とにより構成される係合空間に配置されることを特徴とする、請求項１〜３のいずれか１項に記載の表示装置。
【請求項５】
前記浮き上がり抑制部材の係合空間の垂直方向の長さは、前記第１フレキシブルプリント配線板の厚みよりも大きいことを特徴とする、請求項４に記載の表示装置。
【請求項６】
前記浮き上がり抑制部材の係合空間の水平方向の長さは、前記第１フレキシブルプリント配線板の幅よりも小さいことを特徴とする、請求項４または５に記載の表示装置。
【請求項７】
前記浮き上がり抑制部材の係合空間は、前記フレームの外縁部近傍に設けられており、
前記浮き上がり抑制部材の係合空間には、前記第１フレキシブルプリント配線板の前記フレームの内部から外部に延びる外部接続部に対して交差する方向に開口した挿入部が設けられていることを特徴とする、請求項４〜６のいずれかの１項に記載の表示装置。
【請求項８】
前記表示パネルに取り付けられるとともに、前記フレームの内部から外部に延びるように配置された表示パネル用の第２フレキシブルプリント配線板をさらに備え、
前記第２フレキシブルプリント配線板は、コネクタ差込部と、前記表示パネル側に配置される第１折り曲げ部と、前記コネクタ差込部および前記第１折り曲げ部の間に配置される第２折り曲げ部とを有することを特徴とする、請求項１〜７のいずれか１項に記載の表示装置。
【請求項９】
前記第２フレキシブルプリント配線板には、第１電子部品および第２電子部品が取り付けられており、
前記第２フレキシブルプリント配線板は、前記第１電子部品が取り付けられる第１電子部品取付部と、前記第２電子部品が取り付けられる第２電子部品取付部と、前記第１電子部品取付部および前記第２電子部品取付部の間に配置される第３折り曲げ部とを有することを特徴とする、請求項８に記載の表示装置。
【請求項１０】
前記第２フレキシブルプリント配線板は、前記コネクタ差込部と前記第２電子部品取付部との間に配置されるスリットをさらに有することを特徴とする、請求項９に記載の表示装置。
【請求項１１】
請求項１〜１０のいずれか１項に記載の表示装置を含むことを特徴とする、携帯電話。
【発明の詳細な説明】
【技術分野】
【０００１】
本発明は、表示装置および携帯電話に関し、特に、フレキシブルプリント配線板を備えた表示装置および携帯電話に関する。
【背景技術】
【０００２】
従来、フレキシブルプリント配線板を備えた液晶表示装置などの表示装置が知られている（たとえば、特許文献１参照）。上記特許文献１には、金属製の上側フレームおよび下側フレームに収納されるフレキシブルプリント配線板が接続された表示パネルと、表示パネルに光を照射するバックライト用光源とを有する液晶表示装置が開示されている。
【０００３】
また、従来、携帯電話などに組み込まれる液晶表示装置（ＬＣＤ（Ｌｉｑｕｉｄ  Ｃｒｙｓｔａｌ  Ｄｉｓｐｌａｙ）ユニット）が知られている。図２６は、従来の一例によるＬＣＤユニットを示した斜視図であり、図２７は、図２６に示した従来の一例によるＬＣＤユニットの分解斜視図である。図２８は、図２６に示した従来の一例によるＬＣＤユニットの樹脂製フレームを示した斜視図であり、図２９〜図３１は、従来の一例によるＬＣＤユニットの構造の詳細を示した図である。次に、図２６〜図３１を参照して、従来のＬＣＤユニットについて説明する。
【０００４】
従来のＬＣＤユニット１２０は、図２６および図２７に示すように、金属製の上側フレーム１０１および下側フレーム１０２と、反射シート１０３と、樹脂製フレーム１０４と、導光板１０５と、レンズシート１０６および１０７と、バックライト用フレキシブルプリント配線板（バックライト用ＦＰＣ）１０８と、発光ダイオード（ＬＥＤ）１０９と、拡散シート１１０と、表示パネル１１１と、駆動ＩＣ１１２と、パネル用フレキシブルプリント配線板（パネル用ＦＰＣ）１１３と、電子部品１１４および１１５とを備えている。
【０００５】
金属製の上側フレーム１０１には、図２７に示すように、挿入孔１０１ａと、表示パネル１１１の表示領域に対応して設けられた開口部１０１ｂと、バックライト用ＦＰＣ１０８およびパネル用ＦＰＣ１１３が配置される切欠部１０１ｃとが設けられている。また、金属製の下側フレーム１０２には、上側フレーム１０１の挿入孔１０１ａに係合する突起部１０２ａと、上側フレーム１０１の切欠部１０１ｃに対応する位置に設けられ、バックライト用ＦＰＣ１０８およびパネル用ＦＰＣ１１３が配置される切欠部１０２ｂとが設けられている。また、下側フレーム１０２の上側には、光を反射する反射シート１０３が配置されている。また、図３０に示すように、反射シート１０３の上側には、樹脂製フレーム１０４が配置されている。また、樹脂製フレーム１０４には、図２８に示すように、開口部１０４ａと、バックライト用ＦＰＣ１０８およびパネル用ＦＰＣ１１３が嵌め込まれているＦＰＣ挿入部１０４ｂとが設けられている。また、樹脂製フレーム１０４の上側には、図２７に示すように、下から順番に、光をパネル全体に導く導光板１０５、光を集光するレンズシート１０６および１０７が配置されている。また、レンズシート１０７の上側には、バックライト用ＦＰＣ１０８が取り付けられている。バックライト用ＦＰＣ１０８には、導光板１０５に光を照射するＬＥＤ１０９が複数個取り付けられている。ＬＥＤ１０９から導光板１０５に照射された光は、導光板１０５の内部に拡散し、上方に配置されたレンズシート１０６および１０７に照射される。この光は、レンズシート１０６および１０７により集光され、上方に配置された拡散シート１１０を介して、表示パネル１１１に照射される。
【０００６】
また、バックライト用ＦＰＣ１０８は、撓み変形可能な屈曲性を有する。また、バックライト用ＦＰＣ１０８には、ＬＥＤ取付部１０８ａと、樹脂製フレーム１０４の内部から外部に延びる外部接続部１０８ｂと、コネクタ差込部１０８ｃとが設けられている。また、バックライト用ＦＰＣ１０８のコネクタ差込部１０８ｃは、パネル用ＦＰＣ１１３のコネクタ部１１３ａに装着されている。
【０００７】
また、バックライト用ＦＰＣ１０８の外部接続部１０８ｂは、図３０に示すように、コネクタ差込部１０８ｃをコネクタ部１１３ａの内部に装着しやすいように、ＬＥＤ取付部１０８ａからコネクタ差込部１０８ｃまでの直線距離よりも大きい長さを有するように形成されている。このため、コネクタ差込部１０８ｃをコネクタ部１１３ａに装着した状態では、バックライト用ＦＰＣ１０８の外部接続部１０８ｂは、上方に浮き上がるように撓み変形する。
【０００８】
また、表示パネル１１１には、図２９に示すように、駆動ＩＣ１１２とパネル用ＦＰＣ１１３とが取り付けられている。また、パネル用ＦＰＣ１１３は、図２６に示すように、上側フレーム１０１の切欠部１０１ｃと下側フレーム１０２の切欠部１０２ｂにより構成される開口部から外部に延びるように配置されている。また、パネル用ＦＰＣ１１３には、上記したようにバックライト用ＦＰＣ１０８のコネクタ差込部１０８ｃが差し込まれるコネクタ部１１３ａが設けられている。また、パネル用ＦＰＣ１１３には、電子部品１１４が配置される電子部品取付部１１３ｂが設けられている。また、パネル用ＦＰＣ１１３には、図示しないコネクタに差し込まれるコネクタ差込部１１３ｃが設けられている。また、パネル用ＦＰＣ１１３には、電子部品１１５が配置される電子部品取付部１１３ｄが設けられている。また、コネクタ差込部１１３ｃと電子部品取付部１１３ｄとの間には、スリット１１３ｅが設けられている。
【特許文献１】特許第３３２２６２９号公報
【発明の開示】
【発明が解決しようとする課題】
【０００９】
図２６〜図３１に示した従来のＬＣＤユニットでは、図３０に示したバックライト用ＦＰＣ１０８の外部接続部１０８ｂの撓み変形に伴う力Ｆ２により、図３１に示すようにバックライト用ＦＰＣ１０８のＬＥＤ１０９が取り付けられる部分が上方に浮き上がる場合があるという不都合があった。この場合には、ＬＥＤ１０９から照射される光が樹脂製フレーム１０４の外部に漏れるので、表示パネル１１１を照射するための光が不十分になり、その結果、表示パネル１１１の輝度が低下するという問題点があった。また、バックライト用ＦＰＣ１０８のＬＥＤ１０９が取り付けられる部分が上方に浮き上がると、組立時に、バックライト用ＦＰＣ１０８のコネクタ差込部１０８ｃをパネル用ＦＰＣ１１３のコネクタ部１１３ａに差し込んだ後、上側フレーム１０１を下側フレーム１０２に対して係合しにくいという不都合が生じる。このため、組立作業性が低下するという問題点があった。
【００１０】
また、上記特許文献１に開示された構造では、図２６〜図３０に示した従来のＬＣＤユニットと同様、フレキシブルプリント配線板が撓んだ場合に、フレキシブルプリント配線板の撓み変形に伴う力により、フレキシブルプリント配線板に取り付けられた部材が上方に浮き上がると考えられる。このため、バックライト用光源から照射される光がフレームの外部に漏れるので、表示パネルを照射するための光が不十分になり、その結果、表示パネルの輝度が低下するという問題点が生じると考えられる。
【００１１】
この発明は、上記のような課題を解決するためになされたものであり、この発明の１つの目的は、フレキシブルプリント配線板の撓み変形に起因するフレキシブルプリント配線板の浮き上がりを抑制することが可能な表示装置および携帯電話を提供することである。
【課題を解決するための手段および発明の効果】
【００１２】
上記目的を達成するために、この発明の第１の局面による表示装置は、表示パネルと、表示パネルが収納されるフレームと、表示パネルの背面側に配置されるバックライト用光源と、バックライト用光源に電気的に接続されるとともに、フレームの内部から外部に延びるように配置されたバックライト用の第１フレキシブルプリント配線板とを備え、フレームは、第１フレキシブルプリント配線板が浮き上がることを抑制するための浮き上がり抑制部材を含む。
【００１３】
この第１の局面による表示装置では、上記のように、フレームに、バックライト用の第１フレキシブルプリント配線板が浮き上がることを抑制するための浮き上がり抑制部材を設けることによって、バックライト用の第１フレキシブルプリント配線板の撓み変形に伴って、バックライト用の第１フレキシブルプリント配線板およびバックライト用光源が上方に浮き上がることを抑制することができる。これにより、バックライト用光源から照射される光がフレームの外部に漏れることを抑制することができるので、表示パネルの輝度が低下することを抑制することができる。また、バックライト用の第１フレキシブルプリント配線板およびバックライト用光源が上方に浮き上がることを抑制することができるので、組立時に、上側フレームを下側フレームに対して係合しにくくなるという不都合が生じない。その結果、組立作業性を向上させることができる。
【００１４】
上記第１の局面による表示装置において、好ましくは、フレームの浮き上がり抑制部材は、第１フレキシブルプリント配線板の上面に係合することにより第１フレキシブルプリント配線板の高さを規制するように設けられている。このように構成すれば、容易に、バックライト用の第１フレキシブルプリント配線板の浮き上がりを抑制することができる。
【００１５】
上記第１の局面による表示装置において、好ましくは、フレームの浮き上がり抑制部材は、フレームに一体的に設けられている。このように構成すれば、浮き上がり抑制部材を設けたとしても、部品点数が増加することがない。
【００１６】
上記第１の局面による表示装置において、好ましくは、フレームの浮き上がり抑制部材は、フレームの上面から上方に突出するフック形状部を有し、第１フレキシブルプリント配線板は、フレームの上面とフック形状部とにより構成される係合空間に配置される。このように構成すれば、バックライト用の第１フレキシブルプリント配線板を、フレームの上面とフック形状部とにより構成される係合空間に配置することにより、容易に、第１フレキシブルプリント配線板が浮き上がることを抑制することができる。
【００１７】
上記係合空間を有する表示装置において、好ましくは、浮き上がり抑制部材の係合空間の垂直方向の長さは、第１フレキシブルプリント配線板の厚みよりも大きい。このように構成すれば、係合空間と第１フレキシブルプリント配線板との間に垂直方向に所定の隙間を形成することができるので、フレームの上面とフック形状部とにより構成される係合空間に第１フレキシブルプリント配線板を挿入する作業を容易に行うことができる。
【００１８】
上記係合空間を有する表示装置において、好ましくは、浮き上がり抑制部材の係合空間の水平方向の長さは、第１フレキシブルプリント配線板の幅よりも小さい。このように構成すれば、フレームの上面とフック形状部とにより構成される係合空間に、第１フレキシブルプリント配線板を水平方向（第１フレキシブルプリント配線板の幅方向）に挿入する際に、第１フレキシブルプリント配線板の幅方向の一部のみを挿入すればよいので、挿入作業を容易に行うことができる。
【００１９】
上記係合空間を有する表示装置において、好ましくは、浮き上がり抑制部材の係合空間は、フレームの外縁部近傍に設けられており、浮き上がり抑制部材の係合空間には、第１フレキシブルプリント配線板のフレームの内部から外部に延びる外部接続部に対して交差する方向に開口した挿入部が設けられている。このように構成すれば、バックライト用の第１フレキシブルプリント配線板のフレームの内部から外部に延びる外部接続部に対して交差する方向から、バックライト用の第１フレキシブルプリント配線板を、フレームの外縁部近傍に設けられた係合空間の挿入部に挿入することができるので、第１フレキシブルプリント配線板を差し込む際に、第１フレキシブルプリント配線板の外部接続部の先端部などが、フレームの内部に配置されるレンズシートなどと接触するのが抑制されるので、フレームの内部に配置されたレンズシートなどに傷が付くことを抑制することができる。
【００２０】
上記第１の局面による表示装置において、好ましくは、表示パネルに取り付けられるとともに、フレームの内部から外部に延びるように配置された表示パネル用の第２フレキシブルプリント配線板をさらに備え、第２フレキシブルプリント配線板は、コネクタ差込部と、表示パネル側に配置される第１折り曲げ部と、コネクタ差込部および第１折り曲げ部の間に配置される第２折り曲げ部とを有する。このように構成すれば、第１折り曲げ部を折り曲げることによって、第２フレキシブルプリント配線板のコネクタ差込部を表示パネルの下側に配置することができる。また、第２フレキシブルプリント配線板に、コネクタ差込部および第１折り曲げ部の間に配置される第２折り曲げ部を設けることによって、コネクタ差込部に対して反対方向に向かってコネクタ差込部が差し込まれるコネクタ部が配置される場合にも、第２折り曲げ部を折り曲げることにより、コネクタ差込部をコネクタ部の差込口に向かって配置することができる。
【００２１】
上記第１折り曲げ部および第２折り曲げ部を有する表示装置において、好ましくは、第２フレキシブルプリント配線板は、第１電子部品が取り付けられる第１電子部品取付部と、第２電子部品が取り付けられる第２電子部品取付部と、第１電子部品取付部および第２電子部品取付部の間に配置される第３折り曲げ部とを有する。このように構成すれば、第３折り曲げ部を折り曲げることによって、第２電子部品取付部を第１電子部品取付部の下側に配置することができるので、第２フレキシブルプリント配線板の片面のみに第２電子部品を取り付ける場合にも、第２フレキシブルプリント配線板の上側および下側に電子部品を配置することができる。また、第２フレキシブルプリント配線板に、第１電子部品取付部と第２電子部品取付部との間に配置される第３折り曲げ部を設けることによって、第２フレキシブルプリント配線板の第３折り曲げ部を折り曲げることにより、第２電子部品取付部が第１電子部品取付部の下方に配置されるので、第２電子部品取付部が、コネクタ部に取り付けられるプリント配線基板の上方にオーバーラップすることがない。これにより、コネクタ部が取り付けられるプリント配線基板の配線領域として使用可能な面積を増加させることができる。
【００２２】
上記第２フレキシブルプリント配線板が、第１電子部品取付部、第２電子部品取付部および第３折り曲げ部をさらに有する表示装置において、好ましくは、第２フレキシブルプリント配線板は、コネクタ差込部と第２電子部品取付部との間に配置されるスリットをさらに有する。このように構成すれば、コネクタ差込部と第２電子部品取付部とを別々に折り曲げることができる。
【００２３】
この発明の第２の局面による携帯電話は、上記したいずれかの構成を有する表示装置を含む。このように構成すれば、バックライト用の第１フレキシブルプリント配線板が浮き上がることを抑制することが可能な表示装置を含む携帯電話を得ることができる。
【発明を実施するための最良の形態】
【００２４】
以下、本発明の実施形態を図面に基づいて説明する。
【００２５】
図１は、本発明の一実施形態によるフレキシブルプリント配線板を備えたＬＣＤユニットを示した斜視図であり、図２は、図１に示した一実施形態によるＬＣＤユニットを携帯電話のプリント配線基板に取り付けた状態を示した側面図である。図３は、図１に示した一実施形態によるＬＣＤユニットの分解斜視図である。図４〜図１７は、図１に示した一実施形態によるＬＣＤユニットの構造の詳細を示した図である。図１〜図１７を参照して、本発明の一実施形態によるＬＣＤユニット２０について説明する。なお、本実施形態では、本発明の表示装置の一例としてのＬＣＤユニット２０について説明する。
【００２６】
本発明の一実施形態によるＬＣＤユニット２０は、図１〜図３に示すように、金属製の上側フレーム１および下側フレーム２と、反射シート３と、樹脂製フレーム４と、導光板５と、レンズシート６および７と、バックライト用フレキシブルプリント配線板（バックライト用ＦＰＣ）８と、発光ダイオード（ＬＥＤ）９と、拡散シート１０と、液晶および薄膜トランジスタを含むガラス基板からなる表示パネル１１と、駆動ＩＣ１２と、パネル用フレキシブルプリント配線板（パネル用ＦＰＣ）１３と、電子部品１４および１５とを備えている。また、図２に示すように、ＬＣＤユニット２０は、携帯電話の上側シャーシ５１および下側シャーシ５２内に収納されるとともに、ＬＣＤユニット２０のパネル用ＦＰＣ１３のコネクタ差込部１３ｃ（図１参照）は、携帯電話のプリント配線基板３０のコネクタ部３１に接続されている。なお、樹脂製フレーム４は、本発明の「フレーム」の一例である。また、バックライト用ＦＰＣ８は、本発明の「第１フレキシブルプリント配線板」の一例であり、パネル用ＦＰＣ１３は、本発明の「第２フレキシブルプリント配線板」の一例である。また、ＬＥＤ９は、本発明の「バックライト用光源」の一例である。また、電子部品１４は、本発明の「第１電子部品」の一例であり、電子部品１５は、本発明の「第２電子部品」の一例である。
【００２７】
金属製の上側フレーム１には、図３に示すように、挿入孔１ａと、開口部１ｂと、バックライト用ＦＰＣ８およびパネル用ＦＰＣ１３が配置される切欠部１ｃとが設けられている。また、金属製の下側フレーム２には、上側フレーム１の挿入孔１ａに係合する突起部２ａと、上側フレーム１の切欠部１ｃに対応する位置に設けられ、バックライト用ＦＰＣ８およびパネル用ＦＰＣ１３が配置される切欠部２ｂとが設けられている。また、下側フレーム２の上側には、光を反射する反射シート３が配置されている。また、反射シート３は、樹脂製フレーム４の裏面に取り付けられており、下方に照射される光を上方に反射する。また、樹脂製フレーム４の上側には、下から順番に、光をパネル全体に導く導光板５、光を集光するレンズシート６および７が配置されている。また、レンズシート７の上側には、バックライト用ＦＰＣ８が取り付けられている。バックライト用ＦＰＣ８には、導光板５に光を照射するＬＥＤ９が複数個（４個）取り付けられている。ＬＥＤ９から導光板５に照射された光は、導光板５の内部に拡散し、上方に配置されたレンズシート６および７に照射される。この光は、レンズシート６および７により集光され、上方に配置された拡散シート１０を介して、表示パネル１１に照射される。
【００２８】
ここで、本実施形態では、樹脂製フレーム４には、図３および図４に示すように、開口部４ａと、バックライト用ＦＰＣ８およびパネル用ＦＰＣ１３を嵌め込むためのＦＰＣ挿入部４ｂとが設けられている。この樹脂製フレーム４のＦＰＣ挿入部４ｂの上面４ｃには、図１１および図１２に示すように、フック形状部４ｄが一体的に設けられている。なお、このフック形状部４ｄは、本発明の「浮き上がり抑制部材」の一例である。このフック形状部４ｄとＦＰＣ挿入部４ｂの上面４ｃとにより、挿入部４ｅを有する係合空間４ｆが構成されている。フック形状部４ｄは、図５に示すように、バックライト用ＦＰＣ８の上面に係合することにより、バックライト用ＦＰＣ８の高さを規制するとともに、バックライト用ＦＰＣ８が浮き上がることを抑制する機能を有する。また、バックライト用ＦＰＣ８は、図４および図５に示すように、フック形状部４ｄと樹脂製フレーム４の上面４ｃとによって形成される係合空間４ｆに配置されている。また、係合空間４ｆの垂直方向の長さｔ２は、バックライト用ＦＰＣ８の厚みｔ１の１．２倍〜２．０倍の大きさを有する。このように、フック形状部４ｄの係合空間４ｆの垂直方向の長さを、バックライト用ＦＰＣ８の厚みよりも大きくすることによって、係合空間４ｆとバックライト用ＦＰＣ８との間に垂直方向に所定の隙間が形成されるので、バックライト用ＦＰＣ８を、樹脂製フレーム４の上面４ｃとフック形状部４ｄとにより構成される係合空間４ｆに、容易に配置することが可能になる。また、係合空間４ｆの水平方向の長さｄ２は、バックライト用ＦＰＣ８の幅ｄ１の１／３倍〜２／３倍の大きさを有する。このように、フック形状部４ｄの係合空間４ｆの水平方向の長さｄ２を、バックライト用ＦＰＣ８の幅よりも小さくすることによって、バックライト用ＦＰＣ８を、樹脂製フレーム４の上面４ｃとフック形状部４ｄとにより構成される係合空間４ｆに、容易に配置することが可能になる。また、係合空間４ｆの挿入部４ｅは、樹脂製フレーム４の内部から外部に延びる方向に対して交差する方向に向かって開口している。また、係合空間４ｆは、樹脂製フレーム４の外縁部近傍に設けられている。
【００２９】
また、本実施形態では、図４に示すように、バックライト用ＦＰＣ８は、撓み変形可能な屈曲性を有するとともに、樹脂製フレーム４の内部から外部に延びるように配置されている。また、バックライト用ＦＰＣ８は、ＬＥＤ９に電気的に接続されている。また、図３に示すように、バックライト用ＦＰＣ８には、ＬＥＤ取付部８ａと、樹脂製フレーム４の内部から外部に延びる外部接続部８ｂと、コネクタ差込部８ｃとが設けられている。また、バックライト用ＦＰＣ８のＬＥＤ取付部８ａには、４つのＬＥＤ９が所定の間隔を隔てて取り付けられている。また、バックライト用ＦＰＣ８のコネクタ差込部８ｃは、図１７に示すように、パネル用ＦＰＣ１３のコネクタ部１３ａに装着されている。バックライト用ＦＰＣ８の外部接続部８ｂは、コネクタ差込部８ｃをコネクタ部１３ａの内部に装着しやすいように、ＬＥＤ取付部８ａからコネクタ差込部８ｃまでの直線距離よりも大きく形成されている。このため、コネクタ差込部８ｃをコネクタ部１３ａに装着した状態では、バックライト用ＦＰＣ８の外部接続部８ｂは、上方に浮き上がるように撓み変形する。この場合に、本実施形態では、図３０および図３１に示す上側フレーム１０１および下側フレーム１０２の近傍の力Ｆ２が働く箇所のバックライト用ＦＰＣ８を押さえることにより、外部接続部８ｂの上部への浮き上がりが防止される。
【００３０】
また、４つのＬＥＤ９は、図８〜図１０に示すように、導光板５の側面に対向するように配置されるとともに、導光板５に光を照射する機能を有する。また、バックライト用ＦＰＣ８の上側には、図３に示すように、拡散シート１０が配置されている。また、拡散シート１０には、拡散シート１０と表示パネル１１とを接着するための接着層１０ａが設けられている。また、拡散シート１０の上側には、表示パネル１１が配置されている。表示パネル１１の表面には、図３および図６に示すように、駆動ＩＣ１２とパネル用ＦＰＣ１３とが取り付けられている。また、パネル用ＦＰＣ１３は、図１に示すように、上側フレーム１の切欠部１ｃと下側フレーム２の切欠部２ｂとにより構成される開口部を介して外部に延びるように配置されている。
【００３１】
また、パネル用ＦＰＣ１３は、図４に示すように、樹脂製フレーム４のＦＰＣ挿入部４ｂに嵌め込まれるとともに、外部に延びるように配置されている。また、パネル用ＦＰＣ１３には、図６に示すように、上記したコネクタ部１３ａが設けられている。このコネクタ部１３ａは、図７および図１６に示すように、バックライト用ＦＰＣ８のコネクタ差込部８ｃを挟み込むことにより、バックライト用ＦＰＣ８とパネル用ＦＰＣ１３とを電気的に接続するように構成されている。また、パネル用ＦＰＣ１３には、図６に示すように、電子部品１４が取り付けられる電子部品取付部１３ｂと、コネクタ差込部１３ｃと、電子部品１５が取り付けられる電子部品取付部１３ｄとが設けられている。また、パネル用ＦＰＣ１３のコネクタ差込部１３ｃと電子部品取付部１３ｄとの間には、コネクタ差込部１３ｃと電子部品取付部１３ｄとを個別に折り曲げることが可能なように、スリット１３ｈが設けられている。なお、電子部品取付部１３ｂは、本発明の「第１電子部品取付部」の一例であり、電子部品取付部１３ｄは、本発明の「第２電子部品取付部」の一例である。
【００３２】
また、本実施形態では、パネル用ＦＰＣ１３には、表示パネル１１側に配置される折り曲げ部１３ｅと、電子部品取付部１３ｂとコネクタ差込部１３ｃとの間に配置される折り曲げ部１３ｆと、電子部品取付部１３ｂおよび電子部品取付部１３ｄの間に配置される折り曲げ部１３ｇとが設けられている。また、折り曲げ部１３ｇには、折り曲げ部１３ｇを折り曲げやすくするために、折り曲げ孔１３ｉが設けられている。なお、折り曲げ部１３ｅは、本発明の「第１折り曲げ部」の一例であり、折り曲げ部１３ｆは、本発明の「第２折り曲げ部」の一例であり、折り曲げ部１３ｇは、本発明の「第３折り曲げ部」の一例である。また、折り曲げ部１３ｅ、１３ｆおよび１３ｇは、いずれも「山折り」でも、「谷折り」でもよい。
【００３３】
次に、図１、図３および図１３〜図１７を参照して、本発明の一実施形態によるＬＣＤユニットの組立方法について説明する。
【００３４】
まず、図３に示すように、金属製の下側フレーム２の底面に反射シート３を配置するとともに反射シート３上に樹脂製フレーム４を配置する。そして、導光板５、レンズシート６および７を樹脂製フレーム４内に収納した後、ＬＥＤ９が設置されたバックライト用ＦＰＣ８を樹脂製フレーム４に収納する。
【００３５】
この際、本実施形態では、図１３に示すように、バックライト用ＦＰＣ８の外部接続部８ｂを、樹脂製フレーム４の内部から外部に延びる方向に対して交差する方向から樹脂製フレーム４の係合空間４ｆの挿入部４ｅに差し込む。これにより、樹脂製フレーム４のフック形状部４ｄがバックライト用ＦＰＣ８の上面に係合することにより、バックライト用ＦＰＣ８が浮き上がるのが抑制される。また、バックライト用ＦＰＣ８を差し込む際に、バックライト用ＦＰＣ８のコネクタ差込部８ｃの先端などが、樹脂製フレーム４の内部に配置されるレンズシート７などと接触するのが抑制されるので、樹脂製フレーム４の内部に配置されたレンズシート７などに傷が付くことを抑制することが可能になる。そして、図１４に示すように、駆動ＩＣ１２およびパネル用ＦＰＣ１３が表面に取り付けられるとともに、裏面に拡散シート１０が貼り付けられた表示パネル１１を上方から樹脂製フレーム４に収納する。これにより、図１５に示す状態になる。次に、バックライト用ＦＰＣ８のコネクタ差込部８ｃをパネル用ＦＰＣ１３のコネクタ部１３ａに差し込むことによって、図１６に示す状態になる。この後、上側フレーム１の挿入孔１ａ（図３参照）を下側フレーム２の突起部２ａ（図３参照）に係合させる。これにより、図１および図１７に示す状態になり、ＬＣＤユニット２０の組立が完了する。
【００３６】
本実施形態では、上記のように、樹脂製フレーム４に、バックライト用ＦＰＣ８が浮き上がることを抑制するためのフック形状部４ｄを設けることによって、バックライト用ＦＰＣ８の撓み変形による力Ｆ１（図１７参照）に起因して、バックライト用ＦＰＣ８およびＬＥＤ９が上方に浮き上がることを抑制することができる。これにより、ＬＥＤ９から照射される光が樹脂製フレーム４の外部に漏れることを抑制することができるので、表示パネル１１の輝度が低下することを抑制することができる。また、バックライト用ＦＰＣ８およびＬＥＤ９が上方に浮き上がることを抑制することができるので、組立時に、上側フレーム１を下側フレーム２に対して係合しにくくなるという不都合が生じない。その結果、組立作業性を向上させることができる。
【００３７】
また、本実施形態では、樹脂製フレーム４のフック形状部４ｄを、樹脂製フレーム４に一体的に設けることによって、フック形状部４ｄを設けたとしても、部品点数が増加することがない。
【００３８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３９】
たとえば、上記実施形態では、本発明による表示装置の一例としてのＬＣＤユニットを例にとって説明したが、本発明はこれに限らず、ＬＣＤユニット以外の表示装置にも本発明を適用することができる。
【００４０】
また、上記実施形態では、本発明の表示装置（ＬＣＤユニット）の一例として携帯電話用のＬＣＤユニットを示したが、本発明はこれに限らず、液晶テレビなどＬＣＤユニットを搭載した表示装置に広く適用可能である。この場合、小型の表示装置に本発明を採用することより、より本発明の効果を奏しやすい。
【００４１】
また、上記実施形態では、樹脂製フレームの上面から上方に突出するフック形状部を設けるとともに、バックライト用ＦＰＣを樹脂製フレームの上面とフック形状部とにより構成される係合空間に配置した例を示したが、本発明はこれに限らず、図１８および図１９に示す第１変形例のように、樹脂製フレーム３４に、樹脂製フレーム３４の上面３４ｃから上方に突出する穴状の係合空間３４ｅを有する浮き上がり抑制部３４ｄを設けてもよい。
【００４２】
また、上記実施形態では、パネル用ＦＰＣ１３の折り曲げ部１３ｅ、１３ｆおよび１３ｇを折り曲げずに用いた例を示したが、本発明はこれに限らず、図２０〜図２５に示した本発明の一実施形態による第２〜第４変形例のように用いてもよい。すなわち、図２０および図２１に示す第２変形例のように、ＬＣＤユニット２０のパネル用ＦＰＣ１３の折り曲げ部１３ｅを折り曲げるとともに、折り曲げ方向に延びるパネル用ＦＰＣ１３のコネクタ差込部１３ｃを携帯電話のプリント配線基板３０のコネクタ部３１ａに接続するようにしてもよい。この場合、ＬＣＤユニット２０のパネル用ＦＰＣ１３をＬＣＤユニット２０の下側フレーム２の下側に配置することができる。また、図２２および図２３に示す第３変形例のように、ＬＣＤユニット２０のパネル用ＦＰＣ１３の折り曲げ部１３ｅおよび１３ｆを折り曲げるとともに、パネル用ＦＰＣ１３の折り曲げ部１３ｇ（図２２参照）を折り曲げずに用いてもよい。この場合、図２０および図２１に示した携帯電話のプリント配線基板３０のコネクタ部３１ａとは反対向きのコネクタ部３１ｂにパネル用ＦＰＣ１３を差し込むことができる。また、図２４および図２５に示す第４変形例のように、ＬＣＤユニット２０のパネル用ＦＰＣ１３の折り曲げ部１３ｅおよび１３ｆを折り曲げずに、パネル用ＦＰＣ１３の折り曲げ部１３ｇのみを折り曲げて用いてもよい。この場合、ＬＣＤユニット２０のパネル用ＦＰＣ１３の上側および下側に電子部品１４および１５を配置することができる。また、ＬＣＤユニット２０のパネル用ＦＰＣ１３の折り曲げ部１３ｇを折り曲げることにより、電子部品取付部１３ｄが電子部品取付部１３ｂの下方に配置されるので、電子部品取付部１３ｄが携帯電話のプリント配線基板３０の上方にオーバーラップすることがない。これにより、携帯電話のプリント配線基板３０の配線領域として使用可能な面積を増加させることができる。
【図面の簡単な説明】
【００４３】
【図１】本発明の一実施形態によるフレキシブルプリント配線板を備えたＬＣＤユニットを示した斜視図である。
【図２】図１に示した一実施形態によるＬＣＤユニットを携帯電話のプリント配線基板に取り付けた状態を示した側面図である。
【図３】図１に示した一実施形態によるＬＣＤユニットの分解斜視図である。
【図４】図１に示した一実施形態によるＬＣＤユニットの樹脂製フレームおよび表示パネルを示した斜視図である。
【図５】図１に示した一実施形態によるＬＣＤユニットの樹脂製フレームおよびバックライト用ＦＰＣを示した断面図である。
【図６】図１に示した一実施形態によるＬＣＤユニットの表示パネルを示した斜視図である。
【図７】図１に示した一実施形態によるＬＣＤユニットのバックライト用ＦＰＣに設けられたコネクタ部を示した断面図である。
【図８】図１に示した一実施形態によるＬＣＤユニットの導光板、発光ダイオード（ＬＥＤ）およびバックライト用ＦＰＣを示した斜視図である。
【図９】図１に示した一実施形態によるＬＣＤユニットの導光板、発光ダイオード（ＬＥＤ）およびバックライト用ＦＰＣを示した側面図である。
【図１０】図１に示した一実施形態によるＬＣＤユニットの導光板、発光ダイオード（ＬＥＤ）およびバックライト用ＦＰＣを示した斜視図である。
【図１１】図１に示した一実施形態によるＬＣＤユニットの樹脂製フレームを示した斜視図である。
【図１２】図１に示した一実施形態によるＬＣＤユニットの樹脂製フレームを示した正面図である。
【図１３】図１に説明するための一実施形態によるＬＣＤユニットの取付構造を説明するための斜視図である。
【図１４】図１に説明するための一実施形態によるＬＣＤユニットの取付構造を説明するための斜視図である。
【図１５】図１に説明するための一実施形態によるＬＣＤユニットの取付構造を説明するための斜視図である。
【図１６】図１に説明するための一実施形態によるＬＣＤユニットの取付構造を説明するための断面図である。
【図１７】図１に説明するための一実施形態によるＬＣＤユニットの取付構造を説明するための断面図である。
【図１８】本発明の一実施形態の第１変形例によるＬＣＤユニットを示した斜視図である。
【図１９】図１８に示した本発明の一実施形態の第１変形例によるＬＣＤユニットを示した断面図である。
【図２０】本発明の一実施形態の第２変形例によるＬＣＤユニットを携帯電話のプリント配線基板に取り付けた状態を示した斜視図である。
【図２１】図２０に示した本発明の一実施形態の第２変形例によるＬＣＤユニットを携帯電話のプリント配線基板に取り付けた状態を示した側面図である。
【図２２】本発明の一実施形態の第３変形例によるＬＣＤユニットを携帯電話のプリント配線基板に取り付けた状態を示した斜視図である。
【図２３】図２２に示した本発明の一実施形態の第３変形例によるＬＣＤユニットを携帯電話のプリント配線基板に取り付けた状態を示した側面図である。
【図２４】本発明の一実施形態の第４変形例によるＬＣＤユニットを携帯電話のプリン配線基板に取り付けた状態を示した斜視図である。
【図２５】図２４に示した本発明の一実施形態の第４変形例によるＬＣＤユニットを携帯電話のプリント配線基板に取り付けた状態を示した側面図である。
【図２６】従来の一例によるＬＣＤユニットを示した斜視図である。
【図２７】図２６に示した従来の一例によるＬＣＤユニットの分解斜視図である。
【図２８】図２６に示した従来の一例によるＬＣＤユニットの樹脂製フレームを示した斜視図である。
【図２９】図２６に示した従来の一例によるＬＣＤユニットの樹脂製フレームおよび表示パネルを示した斜視図である。
【図３０】図２６に示した従来の一例によるＬＣＤユニットのフレキシブルプリント配線板とコネクタ部との取付構造を示した断面図である。
【図３１】図２６に示した従来の一例によるＬＣＤユニットのフレキシブルプリント配線板とコネクタ部との取付構造を示した断面図である。
【符号の説明】
【００４４】
４  樹脂製フレーム（フレーム）
４ｃ  上面
４ｄ  フック形状部（浮き上がり抑制部材）
４ｅ  挿入部
４ｆ  係合空間
８  バックライト用ＦＰＣ（第１フレキシブルプリント配線板）
８ｃ  コネクタ差込部
９  ＬＥＤ（バックライト用光源）
１１  表示パネル
１３  パネル用ＦＰＣ（第２フレキシブルプリント配線板）
１３ａ  コネクタ部
１３ｂ  電子部品取付部（第１電子部品取付部）
１３ｃ  コネクタ差込部
１３ｄ  電子部品取付部（第２電子部品取付部）
１３ｅ  折り曲げ部（第１折り曲げ部）
１３ｆ  折り曲げ部（第２折り曲げ部）
１３ｇ  折り曲げ部（第３折り曲げ部）
１４  電子部品（第１電子部品）
１５  電子部品（第２電子部品）
【図１】
2006157487.tif 000003
【図２】
2006157487.tif 000004
【図３】
2006157487.tif 000005
【図４】
2006157487.tif 000006
【図５】
2006157487.tif 000007
【図６】
2006157487.tif 000008
【図７】
2006157487.tif 000009
【図８】
2006157487.tif 000010
【図９】
2006157487.tif 000011
【図１０】
2006157487.tif 000012
【図１１】
2006157487.tif 000013
【図１２】
2006157487.tif 000014
【図１３】
2006157487.tif 000015
【図１４】
2006157487.tif 000016
【図１５】
2006157487.tif 000017
【図１６】
2006157487.tif 000018
【図１７】
2006157487.tif 000019
【図１８】
2006157487.tif 000020
【図１９】
2006157487.tif 000021
【図２０】
2006157487.tif 000022
【図２１】
2006157487.tif 000023
【図２２】
2006157487.tif 000024
【図２３】
2006157487.tif 000025
【図２４】
2006157487.tif 000026
【図２５】
2006157487.tif 000027
【図２６】
2006157487.tif 000028
【図２７】
2006157487.tif 000029
【図２８】
2006157487.tif 000030
【図２９】
2006157487.tif 000031
【図３０】
2006157487.tif 000032
【図３１】
2006157487.tif 000033